(57)【要約】【課題】洗濯物を収容する内槽内に温風を送風可能とした洗濯機において、洗濯後の残水をなくし、内槽だけでなく外槽まで乾燥させて、かびや菌の増殖を抑制する。【解決手段】洗濯物を収容する内槽１７を外槽１に内包し、内槽１７内に温風送風手段２６により温風を送風する。内槽１７内に温風送風手段２６によって温風を供給するとともに、内槽１７を回転させることで内槽１７と外槽１の間に温風を送り込む槽乾燥コースを実行できるよう構成する。【選択図】　図１
2004008544.tif 000002
【特許請求の範囲】
【請求項１】
洗濯物を収容する内槽と、この内槽を内包した外槽と、前記内槽内に温風を送風する温風送風手段とを備え、前記内槽内に前記温風送風手段によって温風を供給するとともに、前記内槽を回転させることで前記内槽と前記外槽の間に温風を送り込む槽乾燥コースを実行できるよう構成した洗濯機。
【請求項２】
内槽に脱水孔を設け、この脱水孔により前記内槽内の温風を前記内槽と外槽の間に導く連通部を構成した請求項１記載の洗濯機。
【請求項３】
内槽に開口部を設け、この開口部により前記内槽内の温風を前記内槽と外槽の間に導く連通部を構成した請求項１記載の洗濯機。
【請求項４】
開口部は、内槽の下方部に設けた請求項３記載の洗濯機。
【請求項５】
内槽の外面に、内槽と外槽の間の温風を下方に送る送風板を設けた請求項１記載の洗濯機。
【請求項６】
外槽の内面に、内槽と外槽の間の温風を下方に送る導入板を設けた請求項１記載の洗濯機。
【請求項７】
内槽の外面下方部に、内槽と外槽の間の温風を拡散する拡散板を設けた請求項１記載の洗濯機。
【発明の詳細な説明】
【０００１】
【発明の属する技術分野】
本発明は、洗濯物を収容する内槽内に温風を送風可能とした洗濯機に関するものである。
【０００２】
【従来の技術】
従来、この種の乾燥機能を有した洗濯機は図４に示すような構成が提案されている。以下、その構成について説明する。
【０００３】
図４に示すように、外槽１は、洗濯物を収容する内槽２を内包し、外枠３内に複数のサスペンション４によって弾性的に吊り下げて設け、脱水時の振動を吸収する構成としている。内槽２は脱水軸５を中心に回転自在に配設し、内槽２の内底部に洗濯物を撹拌する回転翼６を洗濯軸７を中心に回転自在に配設している。内槽２の内部周壁に小孔（図示せず）を多数設けている。
【０００４】
外槽１の上方開口側に略ドーナツ状の外槽カバー８を配設し、この外槽カバー８の内方開口部を開閉自在に覆うように内蓋９を配設している。外槽１の底部にモータ１０を配設し、その回転力を洗濯時は洗濯軸７に伝達し、脱水時は脱水軸５に切り換えて伝達するクラッチ１１を介して、内槽２または回転翼６に連結している。
【０００５】
外枠１の上部に開口部を有する外枠カバー１２を配設し、その開口部を開閉自在に覆う外蓋１３を設けるとともに、内槽２に給水する給水弁１４を設け、給水蛇腹ホース１５を通して外槽１内に給水するよう構成している。外槽１の底部に外槽１外に水を排水する排水弁１６を設けている。
【０００６】
上記構成において動作を説明する。洗い行程では、外蓋１３と内蓋９を開けて、内槽２に衣類を投入し運転を開始すると、給水弁１４が開き、給水蛇腹ホース１５を通して所定の水位まで給水した後、モータ１０を駆動する。伝達機構部のクラッチ１１によりモータ１０の動力が洗濯軸７を介して回転翼６に伝達されて回転し、衣類どうしまたは内槽２や回転翼６との接触により作用する機械力と水流により衣類の洗浄が行われる。
【０００７】
脱水行程では、洗濯終了後、排水弁１６を開いて内槽２内の水を排水した後、クラッチ１１を脱水側に切り換えて、モータ１０の動力を脱水軸５に伝達して内槽２を回転し、遠心力により衣類から水分を分離させる。
【０００８】
【発明が解決しようとする課題】
しかしながら、このような従来の構成では、内槽２や外槽１を乾燥することができず、洗濯時の水が内槽２や外槽１に残水してかびや菌等を発生させてしまうという問題を有していた。
【０００９】
本発明は上記課題を解決するもので、洗濯後の残水をなくし、内槽だけでなく外槽まで乾燥させて、かびや菌の増殖を抑制することを目的としている。
【００１０】
【課題を解決するための手段】
本発明は上記目的を達成するために、洗濯物を収容する内槽を外槽に内包し、内槽内に温風送風手段により温風を送風するよう構成し、内槽内に温風送風手段によって温風を供給するとともに、内槽を回転させることで内槽と外槽の間に温風を送り込む槽乾燥コースを実行できるよう構成したものである。
【００１１】
これにより、洗濯後の残水をなくし、内槽だけでなく外槽まで乾燥することができ、かびや菌の増殖を抑制することができる。
【００１２】
【発明の実施の形態】
本発明の請求項１に記載の発明は、洗濯物を収容する内槽と、この内槽を内包した外槽と、前記内槽内に温風を送風する温風送風手段とを備え、前記内槽内に前記温風送風手段によって温風を供給するとともに、前記内槽を回転させることで前記内槽と前記外槽の間に温風を送り込む槽乾燥コースを実行できるよう構成したものであり、洗濯後の残水をなくし、内槽だけでなく外槽まで乾燥することができ、かびや菌の増殖を抑制することができる。
【００１３】
請求項２に記載の発明は、上記請求項１に記載の発明において、内槽に脱水孔を設け、この脱水孔により前記内槽内の温風を前記内槽と外槽の間に導く連通部を構成したものであり、内槽に設けた脱水孔より内槽と外槽の間に温風を送り込むことができ、内槽だけでなく外槽まで乾燥することができ、かびや菌の増殖を抑制することができる。
【００１４】
請求項３に記載の発明は、上記請求項１に記載の発明において、内槽に開口部を設け、この開口部により前記内槽内の温風を前記内槽と外槽の間に導く連通部を構成したものであり、内槽に設けた開口部より内槽と外槽の間に温風を送り込むことができ、内槽だけでなく外槽まで乾燥することができ、かびや菌の増殖を抑制することができる。
【００１５】
請求項４に記載の発明は、上記請求項３に記載の発明において、開口部は、内槽の下方部に設けたものであり、内槽の下方部に設けた開口部より内槽と外槽の間に温風を送り込むことで、効率よく内槽と外槽を乾燥することができる。
【００１６】
請求項５に記載の発明は、上記請求項１に記載の発明において、内槽の外面に、内槽と外槽の間の温風を下方に送る送風板を設けたものであり、送風板により内槽と外槽の間の下方部に温風を送り込むことができ、効率よく内槽と外槽を乾燥することができる。
【００１７】
請求項６に記載の発明は、上記請求項１に記載の発明において、外槽の内面に、内槽と外槽の間の温風を下方に送る導入板を設けたものであり、導入板により内槽と外槽の間の下方部に温風を送り込むことができ、効率よく内槽と外槽を乾燥することができる。
【００１８】
請求項７に記載の発明は、上記請求項１に記載の発明において、内槽の外面下方部に、内槽と外槽の間の温風を拡散する拡散板を設けたものであり、拡散板により内槽と外槽の間全体に温風を送り込むことができ、効率よく内槽と外槽を乾燥することができる。
【００１９】
【実施例】
以下、本発明の実施例について、図面を参照しながら説明する。なお、従来例と同じ構成のものは同一符号を付して説明を省略する。
【００２０】
（実施例１）
図１に示すように、内槽１７は、内部周壁に多数の脱水孔１８を設け、外槽１に回転自在に内包している。外槽カバー１９は、は略ドーナツ状に形成して外槽１の上方開口側に配設し、この外槽カバー１９の内方開口部を開閉自在に覆うように内蓋２０を配設している。外枠カバー２１は外枠３の上部に配設し、この外枠カバー２１の後方内部に乾燥用送風機２２を配設し、その一端は吸気フィルター２３を介して機体外に通じており、他端はヒータ２４を有する温風供給路２５に接続し、温風送風手段２６を構成している。温風供給路２５は送風蛇腹ホース２７につながり、外槽カバー１９に設けた温風供給口２８から内槽２内へ温風を供給するよう構成している。
【００２１】
外槽カバー１９には、温風供給口２８から内槽２内に供給された温風を排気する排気口２９を形成し、その近傍に支持部材３０を固定し、排気フィルター３１を排気口２９を覆うように支持部材３０に着脱自在に取り付けている。
【００２２】
脱水孔１８は、温風送風手段２６により内槽１７内に供給された温風を内槽１７と外槽１の間に導く連通部を構成し、さらに、内槽１７の下方部に開口部３２を設け、この開口部３２により内槽１７内の温風を内槽１７と外槽１の間に導く連通部を構成している。また、内槽１７の底面に拡散板３３を設けている。
【００２３】
制御装置３４は、モータ１０、給水弁１４、排水弁１６などの動作を制御し、洗い、すすぎ、脱水などの一連の行程を逐次制御するとともに、温風送風手段２６により内槽１７内に温風を供給して衣類を乾燥させる乾燥行程を制御するよう構成し、さらに、内槽１７内に温風送風手段２６によって温風を供給するとともに、内槽１７を回転させることで内槽１７と外槽１の間に温風を送り込む槽乾燥コースを実行できるよう構成している。
【００２４】
上記構成において動作を説明する。洗い行程では、内槽１７に衣類を投入し運転を開始すると、給水弁１４が開き、給水蛇腹ホース１５を通して所定の水位まで給水した後、モータ１０を駆動する。伝達機構部のクラッチ１１によりモータ１０の動力が回転翼６に伝達されて回転し、衣類どうしまたは内槽１７や回転翼６との接触により作用する機械力と水流により衣類の洗浄が行われる。
【００２５】
脱水行程では、洗濯終了後、排水弁１６を開いて内槽２内の水を排水した後、クラッチ１１を脱水側に切り換えて、内槽１７を回転し、遠心力により衣類から水分を分離させる。
【００２６】
乾燥行程では、脱水終了後、排水弁１６を閉じるとともにクラッチ１１を洗濯側に切り換え、モータ１０を駆動して回転翼６に伝達し、回転翼６を正転、反転させて衣類を引っかけて撹拌する。また、乾燥用送風機２２とヒータ２４に通電し、吸気フィルター２３を通して吸入した外気を温風に変え、温風供給口２８から内槽１７内に温風を吹き込む。この温風が撹拌中の衣類を暖め、衣類から水分を蒸発させた後、内槽１７の上方に向かって上昇し、排気口２９から排出され、衣類を乾燥する。
【００２７】
つぎに、槽乾燥の専用コースを動作させると、排水弁１６を開けるとともにモータ１０を駆動して回転翼６および内槽１７に伝達し、回転翼６および内槽１７を回転させる。また、乾燥用送風機２２とヒータ２４に通電し、吸気フィルター２３を通して吸入した外気を温風に変え、温風供給口２８から内槽１７内に温風を矢印で示すように吹き込む。
【００２８】
内槽１７内に吹き込まれた温風は内槽１７の側面に配設した脱水孔１８および開口部３２を通って、矢印で示すように、内槽１７と外槽１の間に送り込まれる。内槽１７と外槽１の間に送り込まれた温風は、内槽１７と外槽１の間に充満し、次第に内槽１７と外槽１の間の底面へと充満していく。
【００２９】
したがって、内槽１７と外槽１の間全体に温風が充満・拡散し、内槽１７および外槽１を乾燥することができる。
【００３０】
ここで、開口部３２は内槽１７の下方部に設けているので、内槽１７内に供給された温風は、下方より内槽１７と外槽１の間に送り込まれ、送り込まれた温風は、内槽１７と外槽１の間を上昇していくので、内槽１７と外槽１の間全体に温風が充満し、内槽１７および外槽１を効率よく乾燥することができる。
【００３１】
また、内槽１７の底面に拡散板３３を設けているので、内槽１７内に供給された温風が内槽１７と外槽１の間に送り込まれ、内槽１７と外槽１の間に充満し、次第に内槽１７の下面周辺に回り込む際、内槽１７の下面周辺に回り込んだ温風は、拡散板３３により流れが起こり、内槽１７の下面部および外槽１の底面部を効率よく乾燥することができる。
【００３２】
なお、本実施例では、内槽１７の内部周壁に多数の脱水孔１８を設けるとともに、内槽１７の下方部に開口部３２を設けているが、脱水孔１８と開口部３２のいずれかを設けるだけでもよい。
【００３３】
また、本実施例では、洗い、すすぎ、脱水などの一連の行程を逐次制御するとともに、乾燥行程を制御するよう構成しているが、乾燥行程はなくてもよい。
【００３４】
（実施例２）
図２に示すように、内槽１７ａは、内部周壁に多数の脱水孔１８を設け、外槽１に回転自在に内包している。内槽１７ａの外面に、内槽１７ａと外槽１の間に送り込まれ温風を下方に送る送風板３５を設けている。他の構成は上記実施例１と同じであり、同一符号を付して説明を省略する。
【００３５】
上記構成において動作を説明する。なお、洗い行程から乾燥行程の動作は上記実施例１と同じであるので説明を省略する。
【００３６】
つぎに、槽乾燥の専用コースを動作させると、内槽１７ａ内に供給された温風は、内槽１７ａと外槽１の間に送り込まれ、内槽１７ａと外槽１の間に充満し、内槽１７ｂが回転しているため、送風板３５により、矢印で示すように、内槽１７ａと外槽１の間の下方に送り込まれ、内槽１７ａの下方周辺に回り込み、内槽１７ａの下面部および外槽１の底面部を乾燥することができる。これにより、内槽１７ａと外槽１を効率よく乾燥することができる。
【００３７】
（実施例３）
図３に示すように、外槽１ｂは、内槽１７ｂを回転自在に内包している。この外槽１ｂの内面に、内槽１７ｂと外槽１ｂの間に送り込まれ温風を下方に送る導入板３６を設けている。他の構成は上記実施例１と同じであり、同一符号を付して説明を省略する。
【００３８】
上記構成において動作を説明する。なお、洗い行程から乾燥行程の動作は上記実施例１と同じであるので説明を省略する。
【００３９】
つぎに、槽乾燥の専用コースを動作させると、内槽１７ｂ内に供給された温風は、内槽１７ｂと外槽１ｂの間に送り込まれ、内槽１７ｂと外槽１ｂの間に充満し、内槽１７ｂが回転しているため、導入板３６により、矢印で示すように、内槽１７ｂと外槽１ｂの間の下方に送り込まれ、内槽１７ｂの下方周辺に回り込み、内槽１７ｂの下面部および外槽１ｂの底面部を乾燥することができる。これにより、内槽１７ｂと外槽１ｂを効率よく乾燥することができる。
【００４０】
【発明の効果】
以上のように本発明の請求項１に記載の発明によれば、洗濯物を収容する内槽と、この内槽を内包した外槽と、前記内槽内に温風を送風する温風送風手段とを備え、前記内槽内に前記温風送風手段によって温風を供給するとともに、前記内槽を回転させることで前記内槽と前記外槽の間に温風を送り込む槽乾燥コースを実行できるよう構成したから、洗濯後の残水をなくし、内槽だけでなく外槽まで乾燥することができ、洗濯時の残水によるかびや菌等の発生を抑制することができる。
【００４１】
また、請求項２に記載の発明によれば、内槽に脱水孔を設け、この脱水孔により前記内槽内の温風を前記内槽と外槽の間に導く連通部を構成したから、内槽に設けた脱水孔より内槽と外槽の間に温風を送り込むことができ、内槽だけでなく外槽まで乾燥することができ、洗濯時の残水によるかびや菌等の発生を抑制することができる。
【００４２】
また、請求項３に記載の発明によれば、内槽に開口部を設け、この開口部により前記内槽内の温風を前記内槽と外槽の間に導く連通部を構成したから、内槽に脱水孔のない洗濯機でも内槽だけでなく、外槽までも乾燥することができ、洗濯時の残水によるかびや菌等の発生を抑制することができる。
【００４３】
また、請求項４に記載の発明によれば、開口部は、内槽の下方部に設けたから、内槽の下方部に設けた開口部より内槽と外槽の間に温風を送り込むことで、温風は上昇するので、内槽と外槽の間全体に自然と拡散し、内槽と外槽を効率よく乾燥させることができる。
【００４４】
また、請求項５に記載の発明によれば、内槽の外面に、内槽と外槽の間の温風を下方に送る送風板を設けたから、送風板により内槽と外槽の間の下方部に温風を送り込むことができ、効率よく内槽と外槽を乾燥することができる。
【００４５】
また、請求項６に記載の発明によれば、外槽の内面に、内槽と外槽の間の温風を下方に送る導入板を設けたから、導入板により内槽と外槽の間の下方部に温風を送り込むことができ、効率よく内槽と外槽を乾燥することができる。
【００４６】
また、請求項７に記載の発明によれば、内槽の外面下方部に、内槽と外槽の間の温風を拡散する拡散板を設けたから、内槽と外槽の間に温風を送り込まれ、内槽と外槽の間の下方部に充満してきた温風を拡散板により拡散させることができ、効率よく内槽と外槽とを乾燥することができる。
【図面の簡単な説明】
【図１】本発明の第１の実施例の洗濯機の縦断面図
【図２】本発明の第２の実施例の洗濯機の縦断面図
【図３】本発明の第３の実施例の洗濯機の一部切欠した縦断面図
【図４】従来の洗濯機の縦断面図
【符号の説明】
１　外槽
１７　内槽
２６　温風送風手段
【図１】
2004008544.tif 000003
【図２】
2004008544.tif 000004
【図３】
2004008544.tif 000005
【図４】
2004008544.tif 000006